(57)【要約】【課題】海外の競走馬生産者およびその他諸関係先と国内の馬主登録希望者とを結ぶ、ＩＴ応用の海外共同馬主クラブのシステムを実現すること。【解決手段】通信回線網を介して運営されるシステムであって、予め馬主としての会員登録を行ってある者もしくは馬主としての会員登録を申請した登録会員に対して、海外の競走馬生産者からの競走馬の購入に起因する諸行為を、前記登録会員に代わって行うＩＴ機能を有することを特徴とする海外共同馬主クラブのシステム。【選択図】図１
2004030403.tif 000002
【特許請求の範囲】
【請求項１】
通信回線網を介して運営される海外共同馬主クラブのシステムであって、
予め馬主としての会員登録を行ってある者もしくは馬主としての会員登録を申請した者（登録会員）に対して、
海外の競走馬生産者からの競走馬の購入に起因する諸行為を、
前記登録会員に代わって行う情報技術機能を有することを特徴とする海外共同馬主クラブのシステム。
【請求項２】
前記海外の競走馬生産者からの競走馬の購入に起因する諸行為として、少なくとも、前記海外の競走馬生産者からの競走馬の購入，購入した競走馬の前記海外の競走馬生産者への育成委託，前記競走馬のレースへの参加委託，獲得した賞金のうちからの配当の受け取りを含むことを特徴とする請求項１に記載の海外共同馬主クラブのシステム。
【請求項３】
前記海外の競走馬生産者からの競走馬の購入に関連する諸行為として、少なくとも、前記海外の競走馬生産者における競走馬の育成状況に関する情報，前記レースへの参加状況に関する情報を、前記通信回線網を介して前記登録会員に提供する行為を含むことを特徴とする請求項１または２に記載の海外共同馬主クラブのシステム。
【請求項４】
前記海外の競走馬生産者からの競走馬の購入に関連する諸行為として、さらに、前記海外の競走馬生産者における競走馬の育成状況の視察もしくは前記レースの観戦、およびこれに付随する観光旅行に関する情報を、前記通信回線網を介して前記登録会員に提供する行為を含むことを特徴とする請求項１〜３のいずれか１項に記載の海外共同馬主クラブのシステム。
【請求項５】
前記登録会員に提供される各情報は、予め定められている前記登録会員固有のＩＤ情報の入力があった場合にのみ、入手可能に構成してあることを特徴とする請求項３または４に記載の海外共同馬主クラブのシステム。
【請求項６】
前記情報技術機能は、少なくとも、前記各登録会員の保有する移動端末もしくは固定端末を前記通信回線網を介して接続可能に、また、国内外の各関係先を前記通信回線網を介して接続可能に構成され、さらに、会員の管理手段と、前記各関係先との接続を行って当該各関係先から入手可能な情報を取得し加工・蓄積する手段と、前記各登録会員からの要求に応じて、前記各関係先から入手した情報を前記各登録会員に送出する手段とを有することを特徴とする請求項１〜５のいずれか１項に記載の海外共同馬主クラブのシステム。
【請求項７】
前記通信回線網として、有線または無線の電話回線網あるいは広域通信回線網を用いることを特徴とする請求項１〜６のいずれか１項に記載の海外共同馬主クラブのシステム。
【発明の詳細な説明】
【０００１】
【発明の属する技術分野】
本発明は、主に有線もしくは無線の電話回線もしくはインターネット等の広域通信回線網を介してシステム上に形成される海外共同馬主クラブ、すなわち、競走馬を海外において共有する組織のシステムに関するものである。
【０００２】
【従来の技術】
近年、多くのビジネスが、通信回線を利用する電子商取引の分野に広がっている。これは、買い手の潜在的な要求を引出そうとする面と、手軽に参加できるという面とから来る傾向と思われる。また、ビジネスを実行する側から見ると、比較的少ない投資により、大きな取引成功のチャンスを得る可能性があるという魅力がある分野であり、今後もさらに発展が予想される分野である。
【０００３】
従来のこの種の、いわゆるネットビジネスとしては、オークション形式あるいは逆オークション形式によるものが、よく知られている。例えば、特開平１１−３２８２７１号公報に開示されているオークションシステムは、中古車のオークションに関するものであるが、このオークションシステムでは、複数の実際に設営されたオークション会場に、これらのオークション会場以外の場所から遠隔参加することが可能なオークションシステムを提供しているものである。
【０００４】
すなわち、このオークションシステムは、オークション会場以外の場所からのセリ（競り）価格に対する応答入力を通信回線を介して受信可能な自動セリ機内の情報、およびオークション対象物の画像情報を、通信回線を介して送信可能に合成して出力する合成装置を、上記自動セリ機と対にしてオークション装置として複数のオークション会場に設置し、また、通信制御装置により上記合成装置からの情報の表示が可能であるとともに、セリ価格に対する応答入力が可能である上記オークション会場以外の場所に設けられた複数の端末を、上記オークション会場のオークション装置との間で通信可能に接続してなるものである。
【０００５】
ところで、競走馬という商品に関しては、これが生き物であるということ、および、これについての従来からの取引の慣行上、代金の支払いが一度には行われず、契約成立時にその一部がいわゆる手付（もしくは手付金）の形で支払われ、残額は、当該競走馬が成長した時点（通常、１年３ヶ月〜１年６ヶ月先）で支払われるということになっていて、これをそのまま、上述のような、一般的なネットオークションないしはネットビジネスとして展開することは困難であった。
【０００６】
また、上述の競走馬という商品に関しては、商品が比較的高価であること、売買契約成立後も、これを売主（競走馬の生産者である）に預けて、継続してその育成を行ってもらう必要性があること等の理由により、一般の商品とは異なる売買契約成立後のフォローが欠かせないという事情もある。またさらには、売買契約成立後に育成を依頼中に、その商品（競走馬）が負傷したり、病死したりする場合もないわけではなく、その場合の責任の取り方、つまり、費用の処理方法についても難しい問題があった。
【０００７】
これらの理由により、従来の競走馬の売買は、決まった時期に開催されるセリ市（競り市）において、実際に上場馬を目で見られる状況で行われることが多く、その場合に競り市に出品される競走馬は、輸送距離の関係もあって、比較的その近在地区範囲内から出品されるものに限られることが多く、全国的な規模で開催されることは少ないという事情もあった。
【０００８】
しかし、最近では、通信技術等の発達や各種スポーツイベントの国際化の進捗によって、商品においても国境がなくなってきており、この傾向は、競走馬の世界でも例外ではない。すなわち、競走馬の産地についても、国内はもとより、外国といえども、産地限定というような形で、オークション会員への売却を目的とする競走馬の産地が外国であるケースも出てきている。
【０００９】
【発明が解決しようとする課題】
そこで、日本にいながら、例えばオーストラリアで馬主となり、競走馬を持ち、レースへの参加から繁殖など、馬主としての醍醐味を味わい、ステータスを得られるようなシステムの一つとして、共同馬主クラブというシステムが提案されている。このシステムは、競走馬を債券の形にして、複数の登録会員に購入させることにより、複数の登録会員による競走馬の共有を可能としたものであり、新たな、ビジネスとして注目されているものである。
【００１０】
ただし、現在の日本では、馬主になるためには、厳しい審査（例えば、資産一億円以上、年収二千万円以上等）があり、馬が好きでも、誰でもが馬主になることはできないという事情がある。このため、これまで提案されている共同馬主クラブは、諸般の事情により、国内における債券化された競走馬の売買取引にその範囲が限定されていた。
【００１１】
ところが、外国、例えばオーストラリアでは、１０人で共有する馬を競走馬として登録することが可能で、馬主登録も可能である。そこで、この制度を利用して、前述のように、取り扱いを要求される商品が国際化した時代に、このような要求に応え得る、商品として外国産馬を組み込んだいわば国際化した共同馬主クラブともいうべきシステムが可能になってくる。
【００１２】
本発明は、上記事情に鑑みてなされたもので、その目的とするところは、海外の競走馬生産者およびその他諸関係先と国内の馬主登録希望者とを結ぶ、情報技術（ＩＴ）応用ビジネスとしての、海外共同馬主クラブのシステムを実現することにある。
【００１３】
【課題を解決するための手段】
上記目的を達成するため、本発明に係る海外共同馬主クラブのシステムは、通信回線網を介して運営されるシステムであって、予め馬主としての会員登録を行ってある者もしくは馬主としての会員登録を申請した者（以下、登録会員ということにする）に対して、海外の競走馬生産者からの競走馬の購入に起因する諸行為を、前記登録会員に代わって行うＩＴ機能を有することを特徴とする。
【００１４】
また、前記海外の競走馬生産者からの競走馬の購入に起因する諸行為として、少なくとも、前記海外の競走馬生産者からの競走馬の購入，購入した競走馬の前記海外の競走馬生産者への育成委託，前記競走馬のレースへの参加委託，獲得した賞金のうちからの配当の受け取りを含むことを特徴とする。
【００１５】
また、本発明に係る海外共同馬主クラブのシステムは、前記海外の競走馬生産者からの競走馬の購入に関連する諸行為として、少なくとも、前記海外の競走馬生産者における競走馬の育成状況に関する情報，前記レースへの参加状況に関する情報を、前記通信回線網を介して前記登録会員に提供する行為を含むことを特徴とする。
【００１６】
またさらに、本発明に係る海外共同馬主クラブのシステムは、前記海外の競走馬生産者からの競走馬の購入に関連する諸行為として、さらに、前記海外の競走馬生産者における競走馬の育成状況の視察もしくは前記レースの観戦、およびこれに付随する観光旅行に関する情報を、前記通信回線網を介して前記登録会員に提供する行為を含むことを特徴とする。
【００１７】
なお、本発明に係る海外共同馬主クラブのシステムにおいては、前記登録会員に提供される各情報は、予め定められている前記登録会員固有のＩＤ情報の入力があった場合にのみ、入手可能に構成してあることが好ましい。
【００１８】
また、本発明に係る海外共同馬主クラブのシステムは、少なくとも、前記各登録会員の保有する移動端末もしくは固定端末を前記通信回線網を介して接続可能に、また、国内外の各関係先を前記通信回線網を介して接続可能に構成され、さらに、会員の管理手段と、前記各関係先との接続を行って当該各関係先から入手可能な情報を取得し加工・蓄積する手段と、前記各登録会員からの要求に応じて、前記各関係先から入手した情報を前記各登録会員に送出する手段とを有する情報技術により実現されることを特徴とする。なお、前記通信回線網として、有線または無線の電話回線網あるいは広域通信回線網を用いることが好ましい。
【００１９】
本発明に係る海外共同馬主クラブのシステムは、基本的に上述のように構成されるので、国内の登録会員と、海外の競走馬生産者，レース主催者，放送・新聞等のマルチメディア関係者、さらには旅行業者・観光業者等を結び付ける一大ネットワークを実現することが可能なものである。
これにより、各登録会員は、これらの関係者を通じてシステムにもたらされる種々の情報を、所定の手続きを経て常時、継続的に入手することが可能であり、また、その情報を基にシステムへの新たな取引を行うことも可能になるというメリットが得られるものである。
【００２０】
なお、競走馬の購入は、原則としては申し込みを行った複数の会員による共同購入の形をとるものとし、購入手続きの完了した時点で、当該競走馬を株式化して、持分に応じて会員に配分するものとする。但し、本発明に係る海外共同馬主クラブのシステムにおける配分形態は、これに限られるものではない。
【００２１】
【発明の実施の形態】
以下、添付の図面に基づいて、本発明の実施の形態を詳細に説明する。
最初に、本発明の一実施形態に係る海外共同馬主クラブの概要を説明する。
【００２２】
図１は、本実施形態に係る海外共同馬主クラブの運営状況の概要を示す概念図である。図１において、１０は海外共同馬主クラブのシステム（ホストコンピュータ）、２０は国内の登録会員（馬主会員）の端末、３１〜３６は海外の関係先（端末）を示しており、３１は海外の競走馬生産者、３２は同厩舎・育成場、３３は同競馬場（レース場）、３４は同放送局、３５は同旅行会社、３６は外国領事館，海外の競走馬商社等のサポート機関を示している。
【００２３】
海外共同馬主クラブのシステム（以下、単にクラブシステムという）１０と国内の登録会員２０との間では、登録契約に基づく登録会員２０からクラブシステム１０への出資金や育成費用の処理，クラブシステム１０から登録会員２０への情報配信サービスや賞金配当処理等の他、各種の情報通信が行われる。
【００２４】
また、クラブシステム１０と海外の関係先（端末）３１〜３６との間では、これも事前の契約に基づく諸々のやり取りが行われる。例えば、競走馬生産者３１との間では、競走馬の購入の契約が交わされる。同厩舎・育成場３２との間では、必要に応じて、購入した競走馬の育成もしくは調教状況等に関する契約が交わされる。
【００２５】
クラブシステム１０と海外の競馬場（レース場）３３との間では、順調に成育した競走馬についてのレース出場に関する契約が交わされる。同放送局３４との間では、競馬場（レース場）３３で行われるレースの中継画像等の放送プログラムの蓄積ならびに配信に関する契約が交わされる。
【００２６】
また、クラブシステム１０と海外の旅行会社３５との間では、国内の登録会員２０から現地視察等の旅行実施の要望があったときに、必要に応じて、現地での案内等の便宜を供与する点に関する契約が交わされる。なお、上述の各種の契約に際しては、外国領事館，海外の競走馬商社等のサポート機関３６の支援を受ける場合があってもよい。
【００２７】
さらに、クラブシステム１０は、海外の各関係先に対して、独自に適宜情報収集ないしは取材を行い、これらの収集ないしは取材により得た情報を、自システム内の蓄積手段に適宜蓄積しておき、登録会員２０からの要望に応じて、もしくは自主的に配信可能な状況に準備しておく。
【００２８】
以下、上述のような、登録会員２０もしくは各関係先３１〜３６との契約等に基づく、または自主的な活動に基づく種々の情報の、クラブシステム１０における処理機能について説明する。
【００２９】
図２に、クラブシステム１０の機能構成例を示す。図２中、１１は通信制御機能部、１２は入出力制御機能部、１３は会員管理機能部、１４ａ〜１４ｆは前述の海外の各関係先との連絡機能部（海外関係先管理機能部）、１５は本システムの全体的な制御を行う主制御機能部（ＣＰＵ）、１６は主制御機能部１５が使用する作業用のメモリ（ＲＯＭ，ＲＡＭ）を示している。また、図示は省略したが、上記以外の構成要素として出力用のプリンタや大容量の記憶装置等も備えられている。これらの各機能部等は、ＬＡＮ等のネットワーク（ＮＷ）により相互に接続されて、本システムを構成している。
【００３０】
通信制御機能部１１は、各種通信網との間のインタフェース（Ｉ／Ｆ）を司る部分である。入出力制御機能部１２は、本システムへの入出力のＩ／Ｆを司る部分である。会員管理機能部１３は各登録会員に関する契約内容その他の情報を格納する会員管理データベース（Ｄ／Ｂ）１３−１を管理する。また、海外関係先管理機能部１４ａ〜１４ｆは、海外の各関係先との間の契約内容その他の情報を格納する関係先管理Ｄ／Ｂ１４−１〜１４−６を管理する。
【００３１】
また、端末１７ａ〜１７ｎは、オペレータがこれを操作して必要な業務を遂行するための本クラブシステム１０のワークステーション（ＷＳ）であり、上述の各機能部と、例えばＬＡＮにより接続され、所定台数が必要部署に配置される。なお、上述の各機能部の名称は便宜的なものであり、現実的には、各機能部はソフトウェア的に互いに関連を持って、機能するものである。
【００３２】
以下、上述のような機能構成を有する、本実施形態に係るクラブシステム１０における業務動作の具体例を説明する。
【００３３】
（１）馬主会員募集：
本実施形態に係るクラブシステム１０の最も基本的な業務であり、いわゆるＷｅｂ上のホームページで、定常的に、その趣旨をアピールするような画面を用いて、馬主会員を募集する。
申し込みがあった場合には、当該申し込み者について、公知の契約方法に準ずる方法を用いて会員としての登録を行う。この際、入会金を受領し、会員登録ＩＤ番号を付与する。
【００３４】
（２）登録会員に与えられる権利：
大きく分けて、競走馬の株（以下、単に株という）の購入並びにその売買を行う権利（図３（ａ）参照）と、クラブシステム１０からのそれ以外の各種情報を入手する権利（図３（ｂ）参照）が与えられる。また、この情報に基づき、現地視察，観光旅行等に関する便宜も適宜与えられる。
【００３５】
（３）海外の各関係先との業務（その１）：
海外の各関係先との間において、定期的もしくは随時に各種情報の交換，指示等のやりとりを行う。この際得られた情報は、各関係先対応に用意されているＤＢに反映させ、以後の利用に供される。なお、原則として、この情報は会員にも適宜配布される。
【００３６】
（４）海外の各関係先との業務（その２）：
会員からの要望により、現地視察，観光旅行等の企画が必要になった場合には、所定の関係先と連絡をとって、その要望に応えるよう種々の業務を行う。但し、この種の業務は付随的なものとして扱い、海外の各関係先が主体となり、クラブシステム１０は単にその仲介をする形でもよい。
【００３７】
以下、上述のような機能構成を有する、本実施形態に係るクラブシステム１０における業務動作の具体例を説明する。なお、以下の説明においては、固定端末もしくは移動端末（モバイル端末もしくは携帯電話）を有する利用者，会員との間の動作を、固定端末を用いる場合を主に説明し、必要に応じて、携帯電話を用いる場合について補足説明する。
【００３８】
海外の競走馬生産者もしくは競走馬の商社等からの情報を基に、選定した購入予定馬について、会員向けの株購入募集ページを掲載し、期間を限定して申し込み者を募集する。図４に、その画面の一例を示す。ここでは、募集馬により、インターネットを利用した入札方式，オークション方式，抽選方式の各方式のいずれかを用意しており、会員は、募集馬とその購入方式に従って、購入を検討可能としている。
【００３９】
ここで用いる情報技術としては、オペレータが、ＷＳ１７から、海外関係先管理機能部１４ａを介して海外の競走馬の生産者３１に係る情報を蓄積している管理ＤＢ１４−１の内容を参照して、適当と思われる購入馬（複数でも可）を選定し、その購入馬に関する情報を登録会員向けの通知形式に加工して、所定記憶手段に格納するというものである。
【００４０】
作成された登録会員向けの情報は、所定のタイミングで、インターネット等の広域通信網上に掲載すべく、例えばホームページに設定され、会員からのアクセスを待機する。ここでは、固定端末およびモバイル端末の両方からのアクセスに応え得るよう、後述するように画面構成についてもそれぞれに適した形式が用意されている。
【００４１】
上述の例では、登録会員向けの情報をホームページに設定しておいて、会員からのアクセスを待機するように構成した例を示したが、これとは異なる提供方法、すなわち、会員からのリクエスト（閲覧希望）に応じてプログラムを立ち上げて、会員との対話の過程で、閲覧を希望する情報を担持するページを提供するようにする方法も採用可能であることはいうまでもない。
【００４２】
図５は、会員が上記３方式中から、入札方式を選択した場合の次画面の一例を示しており、該当馬の血統等の情報が細かく掲示されている。なお、ここでは、後述するオークションによる場合と異なり、入札回数に制限を設けたり、入札価格の設定範囲を定めるなどの制約を設けているが、これは一例であり、本発明を規定するものではない。
【００４３】
また、図６は、Ｗｅｂページでの表示画面例を示す図２，図３に対応する、携帯電話における表示画面の一例を示す図である。携帯電話における表示画面の場合には、表示面積が小さいことを考慮して、Ｗｅｂページでの１ページを複数の画面に分割した形で、順次表示するようにするのが好ましい。
【００４４】
ここで用いる情報技術としては、登録会員からのアクセスに基づく意思表示の内容を、会員管理機能部１３を介して会員管理ＤＢ１３−１に格納し、さらに、特定の競走馬に関する入札の経過を記憶するページに蓄積して、期間内における登録会員からのアクセスを記録し、必要に応じて一部分を会員向けの通知形式に加工して、所定記憶手段に格納するというものである。
【００４５】
図７は、オークション方式を選択した場合の、Ｗｅｂページの次画面の一例を示している。なお、このオークション方式の場合には、入札回数，入札価格に制限を設けておらず、期間内に入札された金額の上位から購入の権利を獲得可能としている。ここでは、同じ金額の応募者が複数存在した場合は、先に入札した会員を優先すると規定しているが、これらは一例であり、本発明を規定するものではない。
【００４６】
また、図８は、Ｗｅｂページでの表示画面例を示した図２，図７に対応する、携帯電話における表示画面の一例を示す図である。ここでも、携帯電話における表示画面の場合は、複数の画面に分割した形で、順次表示するように構成されている。内容的には、実質的に同じものであることはいうまでもない。
【００４７】
ここで用いる情報技術としては、登録会員からのアクセスに基づく意思表示の内容を、会員管理機能部１３を介して会員管理ＤＢ１３−１に格納し、さらに、特定の競走馬に関するオークションの経過を記憶するページに蓄積して、期間内における登録会員からのアクセスを記録し、また、会員向けの通知形式に加工して、所定記憶手段に格納するというものである。
【００４８】
図９は、第３の方式である抽選方式に係る、Ｗｅｂページの画面の一例を示している。ここでは、募集株数，価格等は全て予め決められており、応募する会員は株数のみを入力する方式となり、応募数が所定数を上回った場合には、抽選により購入者を決定するものである。
図１０に、図２，図９に対応する携帯電話における表示画面の一例を示す。画面の表示態様は、上述の各場合と同様である。
【００４９】
上述の説明では、会員（購入者）に対して、システム側で、購入予定馬毎に予め購入方式を限定的に決めている例を示したが、本発明は、必ずしもこのような運用方式に限定されるものではなく、事務処理との関連において、より自由度を高めた運用方式を用いることも不可能ではない。
【００５０】
次に、会員の第２の権利である株の売買を行う場合について説明する。
図１１に、会員間もしくは非会員を対象として、持ち株の譲渡を行うためのオークション方式によるＷｅｂページの画面の一例を示す。掲示内容としては、該当馬の血統等の情報に加えて、現在の持ち主（出品者）の経歴等の情報も掲示される。ここで示したのは、株の譲渡を希望する場合であるが、逆に、譲渡を求める場合のオークション（いわゆる、逆オークション）もあり得る。
【００５１】
ここで用いる情報技術としては、登録会員（出品者）からの意思表示の内容を、会員管理機能部１３を介して会員管理ＤＢ１３−１に格納し、さらに、特定の競走馬に係る株譲渡に関するオークションの経過を記憶するページに蓄積して、期間内における他の登録会員からのアクセスを記録し、また、会員向けの通知形式に加工して、所定記憶手段に格納するというものである。
【００５２】
図１２に、図１１に対応する携帯電話における表示画面の一例を示す。また、図１３には、上述の、譲渡を求める場合の表示画面の一例を示す。
内容的には、図１１に準じて構成されており、当初、売り買いの選択からスタートするような画面構成となっているが、この構成は一例であり、本発明を規定するものではない。
【００５３】
次に、直接の売買に関する部分以外の、会員の付加的な権利ともいうべき、情報取得に関する動作例を説明する。なお、以下の説明においても、固定端末もしくは移動端末（モバイル端末もしくは携帯電話）を有する利用者，会員との間の動作を、固定端末を用いる場合を主に説明し、必要に応じて、携帯電話を用いる場合について補足説明する。
【００５４】
図１４は、海外の各関係先から入手した各種の情報を、系統立てて、会員に配信するためのＷｅｂページ画面の一例を示すものである。ここでは、持ち馬の現在の状況（現状）を、画像（動画，静止画）や調教タイムなどのデータ、さらには調教師のコメントなど（テキスト）とともに、インターネット上に配信する場合の一例を示している。
【００５５】
図１４に示す画面中で、下部の調教タイム，調教師コメントあるいはレース結果などのボタンがクリック（選択）された場合には、それぞれ、図１５〜図１７に示すような画面が表示可能である。すなわち、調教タイムが選択された場合には、図１５に例示するような最近の調教タイムのデータが表示される。また、続けて、調教師コメントを見たいと思えば、一旦図１４に示す画面に戻って、調教師コメントを選択すればよい（図１６が表示される）。
【００５６】
さらに、実際のレース結果を見たければ、図１４に示す画面から競争成績を選択すれば、図１７に例示するような、参加レース毎の成績が表示される。なお、配信内容には、レース前に発表される出馬表なども含まれる。
会員は、このような画像を含む画面を、必要に応じて、随時、閲覧することができるので、このサービスを利用することにより、自分の持ち馬の現状をリアルタイムに近い状態で知ることができる。
【００５７】
ここで用いる情報技術としては、例えば海外の競馬場から入手したレース結果に関する情報等の海外の関係先からの入手情報を、海外関係先管理機能部１４ｃを介して関係先管理ＤＢ１３−３に格納して、期間内における他の登録会員からのアクセスを記録し、また、会員向けの通知形式に加工して、所定記憶手段に格納するというものである。
【００５８】
図１４に対応する携帯電話における表示画面の一例を、図１８に示す。画面の構成方式は、前述の各場合と同様である。ここでも、画面上のボタンを選択することにより、所望の情報を、随時、閲覧することができる。具体的には、図１９（追い切りタイム情報）〜図２２（調教師のコメント）に示すような各種の情報を、必要に応じて閲覧することができる。
【００５９】
さらに、クラブシステム１０は、会員からの依頼を受けて、海外におけるセリ（競り）の代行サービスを行う。これは、クラブシステム１０からインターネット上に事前にセリの情報を配信し、これを見た会員から購入の意思，希望価格などの情報の受付を行っておいて、この範囲でセリの代行サービスを行うというものである。図２３に、この動作の流れ図を示す。
【００６０】
ここで用いる情報技術としては、例えば海外の競走馬商社から入手したセリ対象となる競走馬に関する情報等を、海外関係先管理機能部１４ｆを介して関係先管理ＤＢ１３−６に格納し、会員向けの通知形式に加工して、所定記憶手段に格納するというものである。
【００６１】
図２４は、前述の画像配信におけるクラブシステム１０側の動作の具体例を示す図である。ここでは、例えば、海外の放送局から送られる動画像，取材時の静止画像等を必要に応じて加工して、会員がインターネットや携帯電話等のモバイル環境で、リアルタイム，定期配信，ＤＢ化等により、閲覧希望者の存在場所の制約なしに閲覧可能とするものである。
【００６２】
図２５は、これも付加的な提供サービスとしての、現地視察（いわば、愛馬観察），牧場めぐり，これにからめた観光等の各種ツアーを、現地旅行会社と連携して企画し、インターネット経由等の方式により会員に紹介し、会員からの申し込みがあった場合に、これを受付け処理するものである。
【００６３】
また、現在のところ法的規制はあるものの、会員は、株を取得している馬の馬券を、購入することも可能である。すなわち、現状では、購入に際しては、現地口座の開設および現地通貨での購入，現地口座への入出金に限られるという制約があるが、これを了承した上であれば、また別の楽しみ方が可能であるということである。
【００６４】
なお、株を取得している馬が引退した場合には、牡馬であれば種牡馬として、牝であれば繁殖牝馬として株を持ち続けることが可能である。さらに、それらの馬の次世代の子馬達に係る保有の権利を取得する際にも有利であるという利点もある。
【００６５】
以上、種々のケースを例示して詳細に説明したように、本実施形態によれば、海外の競走馬生産者およびその諸関係先と国内の馬主登録希望者とを結ぶクラブシステムを実現することができる。
なお、上記実施形態は本発明の一例を示したものであり、本発明はこれに限定されるべきものではない。
【００６６】
図２６に、システム構成の他の実現例を示す。
図２６に示すシステム構成例は、先に説明した、クラブシステム（ホストコンピュータ）１０と各会員２０の所持する端末との間で、通信回線を介して情報のやり取りを行うシステム構成とは異なり、システムの主要なサービス内容を蓄積し、会員からの要求に応じて対応する各種コンテンツ・データ（映像および他のデータを含む）を配信するサーバーを中心に構成されるシステムである。
【００６７】
図２６において、符号３２〜３４はそれぞれ、図１に示したと同じ海外の関係先を示しており、また、４１は本クラブシステムに係る国内の事務部門、４２は同海外の事務部門、４３は上述の各種コンテンツ・データのサーバーを配置したデータセンター、４４はインターネットを示している。なお、２０は国内の登録会員（端末）を示している。
【００６８】
本実施形態に係るシステムにおいては、本クラブシステムの国内，海外の事務部門４１，４２で、種々の情報を収集して、必要に応じてデータの加工（変換，圧縮など）を行って、データセンター４３に送り、サーバーに蓄積しておき、会員からの閲覧要求に対応する。会員２０は、インターネット４４を介して、随時上記データセンター４３のサーバー内に蓄積されている各種の情報を閲覧し、所望の動作（株購入，レースへの参加等々）を行うことができる。
【００６９】
ここで、上述のデータセンター４３は、国内，海外のどちらに配置しても構わない。また、データセンター４３内に配置するサーバーの数や、そこでのデータの保存態様などにも一切制約はない。
すなわち、本実施形態においては、システム構成自体は、前述の実施形態の場合とは全く異なってはいるが、インターネット４４等の広域通信網を介しての、会員２０や諸関係先との間の種々の情報提供・情報収集の環境に関しては、同等のものを提供することが可能になっている。
【００７０】
このように、システム構成には様々な態様が可能であり、システムの構成方式自体は本発明の本質ではない。
繰り返すが、上記各実施形態はいずれも本発明の一例を示したものであり、本発明はこれらに限定されるべきものではなく、本発明の要旨を逸脱しない範囲内において適宜の変更・改良等を行ってもよいことはいうまでもない。
また、上記各実施形態に係るクラブシステムの各種の動作を制御するプログラム自体、もしくはこれを記録したコンピュータにより読み取り可能な記録媒体も、本発明の実施の形態に含まれるものである。
【００７１】
なお、上述のような、実施形態からの変更・改良の一例としては、登録会員に対して提供するサービスの内容を、状況の変化に対応して適宜変更・追加または削除していくということがあり、これに対応して、そのためのクラブシステムの構成の変更等も適宜行われるという例も挙げられる。
【００７２】
【発明の効果】
以上、詳細に説明したように、本発明によれば、海外の競走馬生産者およびその他諸関係先と国内の馬主登録希望者とを結ぶクラブシステムを実現することができるという顕著な効果を奏するものである。
【００７３】
より具体的には、本発明によれば、登録会員に対して、海外の競走馬生産者からの競走馬の購入に起因する諸行為を前記登録会員に代わって行う機能、すなわち、少なくとも、前記海外の競走馬生産者からの競走馬の購入，購入した競走馬の前記海外の競走馬生産者への育成委託，前記競走馬のレースへの参加委託，獲得した賞金のうちからの配当の受け取りを含む機能、並びに、前記海外の競走馬生産者からの競走馬の購入に関連する諸行為を前記登録会員に代わって行う機能、すなわち、少なくとも、前記海外の競走馬生産者における競走馬の育成状況に関する情報，前記レースへの参加状況に関する情報を、前記通信回線網を介して前記登録会員に提供する行為を含む機能、またさらに、前記海外の競走馬生産者からの競走馬の購入に関連する諸行為を前記登録会員に代わって行う機能、すなわち、少なくとも、前記海外の競走馬生産者における競走馬の育成状況の視察もしくは前記レースの観戦、およびこれに付随する観光旅行に関する情報を、前記通信回線網を介して前記登録会員に提供する行為を含む機能を備えたクラブシステムを実現することができ、競走馬に関心の深い人々に、新たな参加の場を提供できるという効果が得られる。
【図面の簡単な説明】
【図１】本発明の一実施形態に係る海外共同馬主クラブの運営状況の概要を示す概念図である。
【図２】クラブシステム１０の機能構成例を示す図である。
【図３】（ａ）は競走馬の株の購入動作の説明図、（ｂ）はその売買動作の説明図、（ｃ）はそれ以外の各種情報の入手動作の説明図である。
【図４】競走馬の株の購入を勧める画面例を示す図（その１）である。
【図５】競走馬の株の購入を勧める画面例を示す図（その２）である。
【図６】競走馬の株の購入を勧める画面例を示す図（その３）である。
【図７】競走馬の株の購入を勧める画面例を示す図（その４）である。
【図８】競走馬の株の購入を勧める画面例を示す図（その５）である。
【図９】競走馬の株の購入を勧める画面例を示す図（その６）である。
【図１０】競走馬の株の購入を勧める画面例を示す図（その７）である。
【図１１】持ち株の売買を行う際に用いられる画面例を示す図（その１）である。
【図１２】持ち株の売買を行う際に用いられる画面例を示す図（その２）である。
【図１３】持ち株の売買を行う際に用いられる画面例を示す図（その３）である。
【図１４】購入馬に関する情報の閲覧を要求する際に用いられる画面例を示す図（その１）である。
【図１５】購入馬に関する情報の閲覧を要求する際に用いられる画面例を示す図（その２）である。
【図１６】購入馬に関する情報の閲覧を要求する際に用いられる画面例を示す図（その３）である。
【図１７】購入馬に関する情報の閲覧を要求する際に用いられる画面例を示す図（その４）である。
【図１８】購入馬に関する情報の閲覧を要求する際に用いられる画面例を示す図（その５）である。
【図１９】購入馬に関する情報の閲覧を要求する際に用いられる画面例を示す図（その６）である。
【図２０】購入馬に関する情報の閲覧を要求する際に用いられる画面例を示す図（その７）である。
【図２１】購入馬に関する情報の閲覧を要求する際に用いられる画面例を示す図（その８）である。
【図２２】購入馬に関する情報の閲覧を要求する際に用いられる画面例を示す図（その９）である。
【図２３】海外におけるセリの代行を要求する際に用いられる画面例を示す図である。
【図２４】海外からの配信情報を会員に閲覧させるための手順を示す図である。
【図２５】海外関係先によるツアー案内を行う際に用いられる画面例を示す図である。
【図２６】他の実施形態に係るクラブシステムの構成例を示す図である。
【符号の説明】
１０　クラブシステム（ホストコンピュータ）
１１　通信制御機能部
１２　入出力制御機能部
１３　会員管理機能部
１４ａ〜１４ｆ　海外関係先管理機能部
１５　主制御機能部（ＣＰＵ）
１６　メモリ（ＲＯＭ，ＲＡＭ）
１７　ワークステーション（ＷＳ）
２０　登録会員（馬主会員）の端末
３１　海外の競走馬生産者
３２　海外の厩舎・育成場
３３　海外の競馬場（レース場）
３４　海外の放送局
３５　海外の旅行会社
３６　外国領事館，海外の競走馬商社等のサポート機関
４１　国内の事務部門
４２　海外の事務部門
４３　データセンター
４４　インターネット
【図１】
2004030403.tif 000003
【図２】
2004030403.tif 000004
【図３】
2004030403.tif 000005
【図４】
2004030403.tif 000006
【図５】
2004030403.tif 000007
【図６】
2004030403.tif 000008
【図７】
2004030403.tif 000009
【図８】
2004030403.tif 000010
【図９】
2004030403.tif 000011
【図１０】
2004030403.tif 000012
【図１１】
2004030403.tif 000013
【図１２】
2004030403.tif 000014
【図１３】
2004030403.tif 000015
【図１４】
2004030403.tif 000016
【図１５】
2004030403.tif 000017
【図１６】
2004030403.tif 000018
【図１７】
2004030403.tif 000019
【図１８】
2004030403.tif 000020
【図１９】
2004030403.tif 000021
【図２０】
2004030403.tif 000022
【図２１】
2004030403.tif 000023
【図２２】
2004030403.tif 000024
【図２３】
2004030403.tif 000025
【図２４】
2004030403.tif 000026
【図２５】
2004030403.tif 000027
【図２６】
2004030403.tif 000028